(57)【要約】【課題】マニュアル制御モードにおけるウインドウの微量な開閉調節とウインドウの開閉に要する時間の短縮との両立を図ることのできるパワーウインドウシステムを提供する。【解決手段】ウインドウＥＣＵ２０は、上記開閉スイッチ１０の操作量が所定量Ｔｈ以下であると判断する場合、ウインドウモータ３０の動作モードをマニュアル制御モードに設定するとともに、開閉スイッチ１０の操作量が大きいほどマニュアル制御モードにおけるウインドウの開閉速度が無段階に大きくなるように、ウインドウモータ３０を駆動制御する。【選択図】図１
2010059710.tif 000002
【特許請求の範囲】
【請求項１】
ウインドウを開閉するためのウインドウモータと、
開閉スイッチの操作量が所定量を超えた場合、前記ウインドウモータの動作モードを、マニュアル制御モードからオート制御モードへ切り替える動作モード切替手段と、
前記ウインドウモータの動作モードが前記マニュアル制御モードである間は、前記開閉スイッチが操作されている間、前記ウインドウモータを駆動制御することで前記ウインドウを開閉するとともに、前記ウインドウモータの動作モードが前記動作モード切替手段によって前記オート制御モードに設定されると、前記ウインドウが全開または全閉となるまで前記ウインドウモータを駆動制御する駆動制御部とを備えるパワーウインドウシステムにおいて、
前記開閉スイッチの操作量を検出する操作量検出部を備え、
前記駆動制御部は、前記マニュアル制御モードにおける前記ウインドウの開閉速度が、前記操作量検出部によって検出される前記開閉スイッチの操作量に応じて可変となるように、前記ウインドウモータを駆動制御することを特徴とするパワーウインドウシステム。
【請求項２】
請求項１に記載のパワーウインドウシステムにおいて、
前記駆動制御部は、前記オート制御モードにおける前記ウインドウの開閉速度が、前記操作量検出部によって検出される前記開閉スイッチの操作量に応じて可変となり、且つ、このオート制御モードにおける前記ウインドウの開閉速度帯が前記マニュアル制御モードにおける前記ウインドウの開閉速度帯とは異なるように、前記ウインドウモータを駆動制御することを特徴とするパワーウインドウシステム。
【請求項３】
請求項１または２に記載のパワーウインドウシステムにおいて、
前記駆動制御部は、前記操作量検出部によって検出される前記開閉スイッチの操作量が大きいほど、前記ウインドウの開閉速度が大きくなるように、前記ウインドウモータを駆動制御することを特徴とするパワーウインドウシステム。
【請求項４】
請求項３に記載のパワーウインドウシステムにおいて、
前記駆動制御部は、前記マニュアル制御モードにおける前記ウインドウの開閉速度が、前記操作量検出部によって検出される前記開閉スイッチの操作量に応じて無段階に変化するように、前記ウインドウモータを駆動制御することを特徴とするパワーウインドウシステム。
【請求項５】
請求項３に記載のパワーウインドウシステムにおいて、
前記駆動制御部は、前記マニュアル制御モードにおける前記ウインドウの開閉速度が、前記操作量検出部によって検出される前記開閉スイッチの操作量に応じて段階的に変化するように、前記ウインドウモータを駆動制御することを特徴とするパワーウインドウシステム。
【請求項６】
請求項４または５に記載のパワーウインドウシステムにおいて、
前記駆動制御部は、前記オート制御モードにおける前記ウインドウの開閉速度が、前記操作量検出部によって検出される前記開閉スイッチの操作量に応じて無段階に変化するように、前記ウインドウモータを駆動制御することを特徴とするパワーウインドウシステム。
【請求項７】
請求項４または５に記載のパワーウインドウシステムにおいて、
前記駆動制御部は、前記オート制御モードにおける前記ウインドウの開閉速度が、前記操作量検出部によって検出される前記開閉スイッチの操作量に応じて段階的に変化するように、前記ウインドウモータを駆動制御することを特徴とするパワーウインドウシステム。
【発明の詳細な説明】
【技術分野】
【０００１】
本発明は、マニュアル制御モード及びオート制御モードを有するパワーウインドウシステムに関する。
【背景技術】
【０００２】
現在、自動車のパワーウインドウシステムは、開閉スイッチを小さく動かした場合に、操作しているときにのみ動作するマニュアル制御モードと、開閉スイッチを大きく動かした場合に、開閉スイッチ操作を止めても自動で全開または全閉するオート制御モードとを備えているものが主流である（例えば特許文献１参照）。
【特許文献１】特開平８−７７８７７号公報
【発明の開示】
【発明が解決しようとする課題】
【０００３】
こうした従来のパワーウインドウシステムでは、マニュアル制御モードにおいても、オート制御モードにおいても、ウインドウの開閉速度は同一である。そのため、開閉速度を大きく設定すると、ウインドウを開閉するのにそれほど時間がかからないものの、マニュアル制御モードにおいてウインドウの微量な開閉調節をすることが難しい。一方、開閉速度を小さく設定すると、マニュアル制御モードにおいてウインドウの微量な開閉調節をすることが容易となるものの、ウインドウを全開または全閉するのに時間がかかってしまう。
【０００４】
本発明は、上記実情に鑑みてなされたものであって、その目的は、マニュアル制御モードにおけるウインドウの微量な開閉調節とウインドウの開閉に要する時間の短縮との両立を図ることのできるパワーウインドウシステムを提供することにある。
【課題を解決するための手段】
【０００５】
こうした目的を達成するため、請求項１に記載の発明では、ウインドウを開閉するためのウインドウモータと、開閉スイッチの操作量が所定量を超えた場合、前記ウインドウモータの動作モードを、マニュアル制御モードからオート制御モードへ切り替える動作モード切替手段と、前記ウインドウモータの動作モードが前記マニュアル制御モードである間は、前記開閉スイッチが操作されている間、前記ウインドウモータを駆動制御することで前記ウインドウを開閉するとともに、前記ウインドウモータの動作モードが前記動作モード切替手段によって前記オート制御モードに設定されると、前記ウインドウが全開または全閉となるまで前記ウインドウモータを駆動制御する駆動制御部とを備えるパワーウインドウシステムにおいて、前記開閉スイッチの操作量を検出する操作量検出部を備え、前記駆動制御部は、前記マニュアル制御モードにおける前記ウインドウの開閉速度が、前記操作量検出部によって検出される前記開閉スイッチの操作量に応じて可変となるように、前記ウインドウモータを駆動制御することを特徴とする。
【０００６】
パワーウインドウシステムとしてのこのような構成では、操作量検出部によって開閉スイッチの操作量が検出され、マニュアル制御モードにおけるウインドウの開閉速度が、この検出される開閉スイッチの操作量に応じて可変となるように、ウインドウモータが駆動制御部によって駆動制御される。これにより、ユーザは、必要に応じて、開閉スイッチの操作量を調節してウインドウの開閉速度を小さく設定することで、ウインドウの微量な開閉調節を容易にしたり、開閉スイッチの操作量を調節してウインドウの開閉速度を大きく設定することで、ウインドウの開閉に要する時間を短縮したりすることができる。このようにして、マニュアル制御モードにおけるウインドウの微量な開閉調節とウインドウの開閉に要する時間の短縮との両立を図ることができるようになる。
【０００７】
ところで、上記従来の技術では、マニュアル制御モード及びオート制御モードの間で動作モードが切り替わる操作量がユーザにとってわかりにくく、動作モードの切替を適切に行なうには、ユーザは開閉スイッチに慣れることが必要であった。
【０００８】
また、上記請求項１に記載の発明には、マニュアル制御モードである場合に、開閉スイッチの操作量に応じてウインドウの開閉速度を可変とする一方、オート制御モードである場合に、開閉スイッチの操作量に応じてウインドウの開閉速度を可変としない態様が含まれ、この態様によれば、動作モードの切り替わる境界がユーザにとって分かり易くなる。
【０００９】
しかしながら、上記請求項１に記載の発明には、マニュアル制御モード及びオート制御モードのどちらの場合にも開閉スイッチの操作量に応じてウインドウの開閉速度を可変とする態様も含まれ、この態様では、動作モードの切り替わる境界がユーザにとって分かり難い。
【００１０】
そこで、請求項２に記載の発明のように、前記駆動制御部は、前記オート制御モードにおける前記ウインドウの開閉速度が、前記操作量検出部によって検出される前記開閉スイッチの操作量に応じて可変となり、且つ、このオート制御モードにおける前記ウインドウの開閉速度帯が前記マニュアル制御モードにおける前記ウインドウの開閉速度帯とは異なるように、前記ウインドウモータを駆動制御すると、動作モードの切り替わる境界がより分かり易くなる。
【００１１】
なお、上記請求項１または２に記載の構成においては、マニュアル制御モードにおけるウインドウの開閉速度が開閉スイッチの操作量に応じて可変であればよく、どのように変化させるかについては任意である。そのため、前記駆動制御部は、前記操作量検出部によって検出される前記開閉スイッチの操作量が大きいほど、前記ウインドウの開閉速度が小さくなるように、前記ウインドウモータを駆動制御してもよい。あるいは、請求項３に記載の発明のように、前記駆動制御部は、前記操作量検出部によって検出される前記開閉スイッチの操作量が大きいほど、前記ウインドウの開閉速度が大きくなるように、前記ウインドウモータを駆動制御してもよい。
【００１２】
また、上記請求項３に記載の構成においては、開閉スイッチの操作量が大きいほど、ウインドウの開閉速度が大きくなればよく、どのように大きくさせるかについては任意である。そのため、請求項４に記載の発明のように、前記駆動制御部は、前記マニュアル制御モードにおける前記ウインドウの開閉速度が、前記操作量検出部によって検出される前記開閉スイッチの操作量に応じて無段階に変化するように、前記ウインドウモータを駆動制御することとしてもよい。あるいは、請求項５に記載の発明のように、前記駆動制御部は、前記マニュアル制御モードにおける前記ウインドウの開閉速度が、前記操作量検出部によって検出される前記開閉スイッチの操作量に応じて段階的に変化するように、前記ウインドウモータを駆動制御することとしてもよい。
【００１３】
なお、上記請求項４または５に記載の構成においては、請求項６に記載の発明のように、前記駆動制御部は、前記オート制御モードにおける前記ウインドウの開閉速度が、前記操作量検出部によって検出される前記開閉スイッチの操作量に応じて無段階に変化するように、前記ウインドウモータを駆動制御することとしてもよい。あるいは、請求項７に記載の発明のように、前記駆動制御部は、前記オート制御モードにおける前記ウインドウの開閉速度が、前記操作量検出部によって検出される前記開閉スイッチの操作量に応じて段階的に変化するように、前記ウインドウモータを駆動制御することとしてもよい。
【発明を実施するための最良の形態】
【００１４】
以下、本発明に係るパワーウインドウシステムの一実施の形態について、図１〜図４を参照しつつ説明する。なお、図１は、本実施の形態のパワーウインドウシステムについて、その全体構成を示すブロック図であり、図２は、パワーウインドウシステム１を構成する開閉スイッチ１０について、その構造の一例を示す図であり、図３は、レバー１０ａの操作量により動作モード及び開閉速度を決定するための対応マップＭ１を示す図である。はじめに、これら図１〜図３を用いて、パワーウインドウシステム１の構成及び機能について説明する。
【００１５】
図１に示されるように、パワーウインドウシステム１は、開閉スイッチ１０、パワーウインドウコンピュータ（以下、ウインドウＥＣＵと記載）２０、ウインドウモータ３０等々を備えて構成されており、図示しない自動車に搭載されている。
【００１６】
このうち、図２に示されるように、開閉スイッチ１０は、ユーザによって直接推し引きされるレバー（操作部）１０ａ、レバー１０ａの一端においてこのレバー１０ａを回転可能に支持する回転軸１０ｂ、及び、レバー１０ａの回転を検出するとともにこの検出した回転に応じたパルス信号を出力するロータリーエンコーダ１０ｃ等々を有している。そして、後述のＣＰＵ２１は、ロータリーエンコーダ１０ｃから出力されたパルス信号に基づき、開閉スイッチ１０の回転角度（操作量）を検出する。
【００１７】
また、図１に示されるように、ウインドウＥＣＵ２０は、ＣＰＵ２１、モータ駆動回路２２、パルスセンサ２３及びＥＥＰＲＯＭ（記憶保持部）２４等々を有している。
【００１８】
このうち、モータ駆動回路２２は、後述のＣＰＵ２１及びウインドウモータ３０にそれぞれ電気的に接続されている。モータ駆動回路２２は、ＣＰＵ２１から入力される制御信号の電圧レベルをウインドウモータ３０用の電圧レベルに変換し、このウインドウモータ３０に対して駆動信号として出力する。そして、ウインドウモータ３０は、モータ駆動回路２２（ウインドウＥＣＵ２０）から入力された駆動信号に応じて駆動する。
【００１９】
パルスセンサ２３は、例えば公知のホールＩＣにて構成されている。詳しくは、パルスセンサ（ホールＩＣ）２３は、ウインドウモータ３０のアーマチュアシャフト（図示略）に設けられた磁石の磁界を非接触にて検出する。パルスセンサ２３は、この検出した磁界に基づいてウインドウモータ３０の回転に同期したパルス信号を生成し、生成したパルス信号をＣＰＵ２１に出力する。また、パルスセンサ２３は、検出した磁界に基づいてウインドウモータ３０の回転方向を示す回転方向信号を生成し、生成した回転方向信号もＣＰＵ２１に出力する。
【００２０】
ＥＥＰＲＯＭ（記憶保持部）２４は、ＣＰＵ２１が実行するための種々のプログラムや、ウインドウモータ３０の動作モード及びウインドウの開閉速度をレバー１０ａの操作量により決定するための対応マップ等々を記憶保持している。
【００２１】
ＣＰＵ２１は、上記パルスセンサ２３から出力されるパルス信号をカウントすることでウインドウの移動量を検出し、上記パルスセンサ２３から出力される回転方向信号に基づいてウインドウモータ３０の回転方向（すなわち、ウインドウの移動方向）を判断する。さらに、ＣＰＵ２１は、上記パルスセンサ２３から出力されるパルス信号に含まれるパルスの間隔に基づいて、ウインドウモータ３０の回転速度の変化、すなわち、ウインドウの開閉速度の変化を検出する。
【００２２】
また、ＣＰＵ２１は、上記ロータリーエンコーダ１０ｃから出力されるパルス信号に基づいて、開閉スイッチ１０（レバー１０ａ）の操作量を検出し、上記ＥＥＰＲＯＭ２４に記憶保持された対応マップＭ１を用いて、ウインドウモータ３０の動作モード及びウインドウの開閉速度をレバー１０ａの操作量により決定する。そして、ＣＰＵ２１は、決定したウインドウモータ３０の動作モード及びウインドウの開閉速度となるように、上記制御信号をモータ駆動回路２２に出力する。
【００２３】
本実施の形態では、図３に示す対応マップＭ１がＥＥＰＲＯＭ２４に記憶保持されており、ＣＰＵ２１は、この対応マップＭ１に従って、ウインドウモータ３０の動作モード及びウインドウの開閉速度を決定する。
【００２４】
詳しくは、ＣＰＵ２１は、上記開閉スイッチ１０の操作量が所定量Ｔｈ以下であると判断する場合、ウインドウモータ３０の動作モードをマニュアル制御モードに設定する。一方、ＣＰＵ２１は、上記開閉スイッチ１０の操作量が所定量Ｔｈよりも大きいと判断する場合、ウインドウモータ３０の動作モードをオート制御モードに設定する。
【００２５】
ちなみに、上記マニュアル制御モードである間は、ＣＰＵ２１は、開閉スイッチ１０が操作されている間、ウインドウモータ３０を駆動制御することでウインドウを開閉する。また、上記オート制御モードに設定されると、ＣＰＵ２１は、ウインドウが全開または全閉となるまでウインドウモータ３０を駆動制御する。
【００２６】
ＣＰＵ２１は、このような機能を有するため、特許請求の範囲に記載する操作量検出部、駆動制御部、及び、動作モード切替手段に相当する。
【００２７】
また、ＣＰＵ２１は、開閉スイッチ１０の操作量が大きいほどマニュアル制御モードにおけるウインドウの開閉速度が大きくなるように、ウインドウモータ３０を駆動制御する。同様に、ＣＰＵ２１は、開閉スイッチ１０の操作量が大きいほどオート制御モードにおけるウインドウの開閉速度が大きくなるように、ウインドウモータ３０を駆動制御する。
【００２８】
具体的には、図３に示されるように、ＣＰＵ２１は、マニュアル制御モードにおけるウインドウの開閉速度が開閉スイッチ１０の操作量に応じて無段階に変化するように、さらに、オート制御モードにおけるウインドウの開閉速度が開閉スイッチ１０の操作量に応じて無段階に変化するように、ウインドウモータ３０を駆動制御する。さらに、ＣＰＵ２１は、オート制御モードにおけるウインドウの開閉速度帯（Ｖ２〜Ｖ３）が、マニュアル制御モードにおけるウインドウの開閉速度帯（０〜Ｖ１）とは異なるように、ウインドウモータ３０を駆動制御する。
【００２９】
以上のように構成されたパワーウインドウシステム１の動作について図４を参照しつつ説明する。なお、図４（ａ）は、ユーザが開閉スイッチ１０を僅かに引き上げた場合について示す図である。また、図４（ｂ）は、ユーザが開閉スイッチ１０を中程度引き上げた場合について示す図である。また、図４（ｃ）は、ユーザが開閉スイッチ１０を大きく引き上げた場合について示す図である。
【００３０】
図４（ａ）に示されるように、ユーザが開閉スイッチ１０を僅かに引き上げた場合、ＣＰＵ２１は、上記開閉スイッチ１０の操作量が所定量Ｔｈ以下であると判断する。すると、ＣＰＵ２１は、ウインドウモータ３０の動作モードを上記マニュアル制御モードに設定し、開閉スイッチ１０の小さな操作量に応じた小さな閉速度となるように、ウインドウモータ３０を駆動制御する。なお、この場合、ウインドウの閉速度は小さいため、ウインドウの微量な開調節が容易となる。
【００３１】
また、図４（ｂ）に示されるように、ユーザが開閉スイッチ１０を中程度引き上げた場合、ＣＰＵ２１は、上記開閉スイッチ１０の操作量がまだ所定量Ｔｈ以下であると判断する。すると、ＣＰＵ２１は、ウインドウモータ３０の動作モードを上記マニュアル制御モードに設定し、開閉スイッチ１０の中程度の操作量に応じた中程度の閉速度となるように、ウインドウモータ３０を駆動制御する。なお、この場合、ウインドウの閉速度が中程度であるため、ウインドウを閉めるのにそれほど時間がかからなくなる。
【００３２】
また、図４（ｃ）に示されるように、ユーザが開閉スイッチ１０を大きく引き上げた場合、ＣＰＵ２１は、上記開閉スイッチ１０の操作量が所定量Ｔｈを超えると判断する。すると、ＣＰＵ２１は、ウインドウモータ３０の動作モードを上記オート制御モードに設定し、開閉スイッチ１０の大きな操作量に応じた大きな閉速度となるように、ウインドウモータ３０を駆動制御する。なお、この場合、ウインドウの閉速度は大きいため、ウインドウを自動で閉める時間が一層短縮される。
【００３３】
以上説明した上記実施の形態では、ウインドウＥＣＵ２０は、上記開閉スイッチ１０の操作量が所定量Ｔｈ以下であると判断する場合、ウインドウモータ３０の動作モードをマニュアル制御モードに設定するとともに、開閉スイッチ１０の操作量が大きいほど、マニュアル制御モードにおけるウインドウの開閉速度が無段階に大きくなるように、ウインドウモータ３０を駆動制御した。これにより、ユーザは、必要に応じて、開閉スイッチ１０の操作量を調節してウインドウの開閉速度を小さく設定することで、ウインドウの微量な開閉調節を容易にすることができる。また、ユーザは、必要に応じて、開閉スイッチ１０の操作量を調節してウインドウの開閉速度を大きく設定することで、ウインドウの開閉に要する時間を短縮することができる。このようにして、マニュアル制御モードにおけるウインドウの微量な開閉調節とウインドウの開閉に要する時間の短縮との両立を図ることができるようになる。
【００３４】
また、上記実施の形態では、ウインドウＥＣＵ２０は、上記開閉スイッチ１０の操作量が所定量Ｔｈを超えると判断する場合、ウインドウモータ３０の動作モードをオート制御モードに設定するとともに、開閉スイッチ１０の操作量が大きいほど、オート制御モードにおけるウインドウの開閉速度が無段階に大きくなるように、且つ、オート制御モードにおけるウインドウの開閉速度帯がマニュアル制御モードにおけるウインドウの開閉速度帯とは異なるように、ウインドウモータ３０を駆動制御した。これにより、マニュアル制御モードとオート制御モードとの間で動作モードの切り替わる境界がより分かり易くなる。
【００３５】
なお、本発明に係るパワーウインドウシステム１は、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００３６】
上記実施の形態では、開閉スイッチ１０は、ウインドウモータ３０の動作モードがマニュアル制御モードからオート制御モードへの切替時に、レバー１０ａに抵抗が生じる構造となっていることが望ましい。これにより、動作モードの切り替わる境界にレバー１０ａが達したときに、ユーザは抵抗を感じる（クリック感を得る）ため、動作モードの切り替わる境界がユーザにとってより分かり易くなる。
【００３７】
上記実施の形態では、開閉スイッチ１０（詳しくはレバー１０ａ）の操作量を検出する操作量検出部として、例えばロータリーエンコーダ１０ｃを採用していたが、これに限らない。他に例えば、レゾルバやポテンションメータ等を採用してもよい。要は、レバー１０ａの回転軸１０ｂを中心とした回転角度を検出することができればよいのであって、回転角度の検出原理は任意である。
【００３８】
上記実施の形態では、対応マップＭ１（図３参照）を記憶保持する記憶保持部として、例えばＥＥＰＲＯＭを採用していたが、これに限らない。他に例えば、ハードディスクドライブ装置等を採用してもよい。要は、ウインドウＥＣＵ２０（詳しくはＣＰＵ２１）がウインドウモータ３０の動作モード及びウインドウの開閉速度をレバー１０ａの操作量により決定するための対応マップを記憶保持することができればよい。
【００３９】
上記実施の形態では、対応マップＭ１を用いて、ウインドウモータ３０の動作モード及びウインドウの開閉速度をレバー１０ａの操作量により決定していたが、用いる対応マップは対応マップＭ１に限らない。対応マップＭ１に相当する対応マップとして図５に示す対応マップＭ２や、図６に示す対応マップＭ３を用いてもよい。
【００４０】
具体的には、図５に示されるように、ＣＰＵ２１は、マニュアル制御モードにおけるウインドウの開閉速度が開閉スイッチ１０の操作量に応じて無段階に変化するように、且つ、オート制御モードにおけるウインドウの開閉速度が開閉スイッチ１０の操作量に応じて無段階に変化するように、ウインドウモータ３０を駆動制御する。また、ＣＰＵ２１は、オート制御モードにおけるウインドウの開閉速度帯（Ｖ１〜Ｖ３）が、マニュアル制御モードにおけるウインドウの開閉速度帯（０〜Ｖ１）とは異なるように、ただし、これら開閉速度帯が連続し、且つ、その傾きが同一となるように、ウインドウモータ３０を駆動制御してもよい。
【００４１】
あるいは、図６に示されるように、ＣＰＵ２１は、マニュアル制御モードにおけるウインドウの開閉速度が開閉スイッチ１０の操作量に応じて段階的に変化するように、且つ、オート制御モードにおけるウインドウの開閉速度が開閉スイッチ１０の操作量によらず一定となるように、ウインドウモータ３０を駆動制御する。また、ＣＰＵ２１は、オート制御モードにおけるウインドウの開閉速度Ｖ３が、マニュアル制御モードにおけるウインドウの開閉速度帯（０〜Ｖ４〜Ｖ１）には含まれないように、ウインドウモータ３０を駆動制御してもよい（なお、この場合、開閉速度Ｖ１＜＜開閉速度Ｖ３であることが望ましい）。
【００４２】
またあるいは、ＣＰＵ２１は、マニュアル制御モードにおけるウインドウの開閉速度も、オート制御モードにおけるウインドウの開閉速度も、開閉スイッチ１０の操作量に応じて段階的に変化するように、ウインドウモータ３０を駆動制御してもよい。
【００４３】
要は、段階的であるか無段階的であるかを問わず、開閉スイッチ１０の操作量が大きいほどウインドウの開閉速度が大きくなるように、ＣＰＵ２１がウインドウモータ３０を駆動制御すればよい。
【００４４】
上記実施の形態（変形例を含む）では、対応マップを用いて、ウインドウモータ３０の動作モード及びウインドウの開閉速度を決定していたが、これに限らない。他に例えば、対応マップに示したような操作量と開閉速度との対応関係を捉えた演算式を用いて開閉スイッチ１０の操作量から目標開閉速度を定め、この目標開閉速度となるように、ＣＰＵ２１がウインドウモータ３０を駆動制御することとしてもよい。
【図面の簡単な説明】
【００４５】
【図１】本発明に係るパワーウインドウシステムの一実施の形態について、その全体構成を示すブロック図である。
【図２】本実施の形態を開閉スイッチについて、その構成の一例を模式的に示す図である。
【図３】本実施の形態について、レバーの操作量により動作モード及び開閉速度を決定するための対応マップを示す図である。
【図４】本実施の形態の開閉スイッチについて、（ａ）は、レバーの操作量が小さい場合、（ｂ）は、レバーの操作量が中程度の場合、（ｃ）は、レバーの操作量が大きい場合についてそれぞれ示す図である。
【図５】本実施の形態の変形例について、レバーの操作量により動作モード及び開閉速度を決定するための対応マップを示す図である。
【図６】本実施の形態の他の変形例について、レバーの操作量により動作モード及び開閉速度を決定するための対応マップを示す図である。
【符号の説明】
【００４６】
１…パワーウインドウシステム、１０…開閉スイッチ、１０ａ…レバー、１０ｂ…回転軸、１０ｃ…ロータリーエンコーダ、２０…ウインドウＥＣＵ、２１…ＣＰＵ（動作モード切替手段、操作量検出部、駆動制御部）、２２…モータ駆動回路、２３…パルスセンサ（ホールＩＣ）、２４…ＥＥＰＲＯＭ、３０…ウインドウモータ
【図１】
2010059710.tif 000003
【図２】
2010059710.tif 000004
【図３】
2010059710.tif 000005
【図４】
2010059710.tif 000006
【図５】
2010059710.tif 000007
【図６】
2010059710.tif 000008